(57)【要約】【課題】            使用済み製品の有効利用の一方法として、使用済み製品由来の布状材を使用した履物を提供する。【解決手段】        ソール部２と、該ソール部２に固定されて該ソール部２上に足入れ部３を形成するアッパー部４と、該アッパー部４の表面に固着されるアウター部６と、を備え、前記ソール部２と前記アッパー部４とによって履物としての強度及び耐久性が保持され、前記アウター部６が使用済み製品由来の布状材７で形成される。【選択図】          図２
2018094224.tif 000002
【特許請求の範囲】
【請求項１】
ソール部と、該ソール部に固定されて該ソール部上に足入れ部を形成するアッパー部と、該アッパー部の表面に固着されるアウター部と、を備え、前記ソール部と前記アッパー部とによって履物としての強度及び耐久性が保持され、前記アウター部が使用済み製品由来の布状材で形成される、履物。
【請求項２】
左右いずれか一方の履物に他方の履物とは異なったデザインで前記布状材が固着される、請求項１に記載の履物。
【請求項３】
前記使用済み製品に備わっていたポケット、ボタン、ベルト通し、ファスナー等の付属物が前記布状材と共にそのまま外観に現れている、請求項１又は２に記載の履物。
【請求項４】
前記布状材が種類の異なる複数のものであり、該複数種類の布状材が前記アッパー部の表面に混在している、請求項１，２又は３に記載の履物。
【請求項５】
請求項１乃至４のいずれか一項に記載の履物を製造する方法であって、完成品としての既存の履物を用いて前記ソール部及び前記アッパー部とし、前記使用済み製品から前記布状材を取得し、該布状材を必要な形状及び大きさに裁断し、裁断した布状材を前記既存の履物の表面に固着することを特徴とする、履物の製造方法。
【請求項６】
前記使用済み製品が被服又はバッグである、請求項５に記載の履物の製造方法。
【発明の詳細な説明】
【技術分野】
【０００１】
本発明は、履物とその製造方法に関するものである。
【背景技術】
【０００２】
被服は、古くなったり破れたりすると廃棄処分されるのが普通である。しかし、被服には購入者や使用者のデザイン上の好みが強く表れているので、使用済みとは言っても安易に廃棄するのは憚られる。特に、思い出の品や記念の品などということになると、老朽化したからといって簡単に廃棄処分することはできない。さらに、例えば、デニム製の被服の場合、生地が丈夫であり、長いこと使用することにより木綿独特の色合いや風合いが生ずるので、廃棄処分にするのはもったいない。
【０００３】
そこで、古くなって着用しなくなったジーンズパンツを再利用して鞄を形成することが提案されている（特許文献１）。一般に、使用済み製品の再生利用は、資源の有効利用であり、ゴミの減量等の観点からも好ましい。
【先行技術文献】
【特許文献】
【０００４】
【特許文献１】実用新案登録第３０７６７５３号公報
【発明の概要】
【発明が解決しようとする課題】
【０００５】
本発明は、前記のような事情に鑑みてなされたもので、使用済み製品の有効利用の一方法として、使用済み製品由来の布状材を使用した履物と、その製造方法を提供しようとするものである。
【課題を解決するための手段】
【０００６】
前記課題を解決するため、本発明に係る履物は、ソール部と、該ソール部に固定されて該ソール部上に足入れ部を形成するアッパー部と、該アッパー部の表面に固着されるアウター部と、を備え、前記ソール部と前記アッパー部とによって履物としての強度及び耐久性が保持され、前記アウター部が使用済み製品由来の布状材で形成されることを特徴とする（請求項１）。
【０００７】
本発明によれば、ソール部とアッパー部とによって履物としての強度及び耐久性が保持されるので、アウター部は、専らファッション性のみを考慮して作成することができる。よって、使用済み製品由来の布状材でファッショナブルなアウター部を作成して、使用済み製品の有効利用を図ることができる。アッパー部の表面にアウター部を固着するだけで良いので、製造も容易である。
【０００８】
なお、本発明において、「使用済み製品由来」とは、使用済み製品の一部を切り取ってそのまま使用すること、使用済み製品を解体して適宜に裁断して使用すること、使用済み製品に含まれる原材料に適宜の物理的又は化学的な加工を加えて使用すること等を広く含む概念である。また、「布状材」とは、麻や木綿の織物の他、プラスチック糸の織物やプラスチック製の柔軟なシート材、皮革及び合成皮革等、素材にこだわることなく柔軟な面状体を言うものとする。さらに、本発明は履物に係るものであるから、靴のほか、サンダル、スリッパ、草履等も含むことはもちろんである。
【０００９】
好適な実施の一形態として、左右いずれか一方の履物に他方の履物とは異なったデザインで前記布状材が固着される態様を例示する（請求項２）。この実施の形態は、左右の履物の両方に同一のデザインを施すほど使用済み製品由来の布状材に量的余裕がない場合に有効である。履物のデザインは左右で共通とするのが通常であるが、使用済み製品を材料とする以上、いつも左右を共通にできるとは限らない。そのような場合に、左右いずれか一方の履物に他方の履物とは異なったデザインで使用済み製品由来の布状材を固着することとすれば、アウター部の材料の不足に悩まされることもなく、一対の履物全体として個性的なデザインとなり、好適である。
【００１０】
好適な実施の一形態として、前記使用済み製品に備わっていたポケット、ボタン、ベルト通し、ファスナー等の付属物が前記布状材と共にそのまま外観に現れる態様を例示する（請求項３）。このようにすれば、付属物をいちいち取り外す手間が省けるほか、履物の外観意匠性も良好となり好適である。
【００１１】
好適な実施の一形態として、前記布状材が種類の異なる複数のものであり、該複数種類の布状材が前記アッパー部の表面に混在している態様を例示する（請求項４）。この場合も、履物の外観意匠性が良好となる。
【００１２】
次に、本発明に係る履物の製造方法は、前記履物を製造する方法であって、完成品としての既存の履物を用いて前記ソール部及び前記アッパー部とし、前記使用済み製品から前記布状材を取得し、該布状材を必要な形状及び大きさに裁断し、裁断した布状材を前記既存の履物の表面に固着することを特徴とする（請求項５）。このようにすれば、既存の履物をそのまま使用して製造できるので、製造が容易である。
【００１３】
なお、既存の履物は新品であっても中古であってもよいが、中古品を利用すれば安価に製造できるほか、中古品のデザインを一新することができ、中古品の再利用という観点からも有効である。
【００１４】
好適な実施の一形態として、前記使用済み製品が被服又はバッグである態様を例示する（請求項６）。
【図面の簡単な説明】
【００１５】
【図１】本発明の実施の一形態に係る履物の斜視図である。
【図２】図１の履物の片方の縦断側面図である。
【発明を実施するための形態】
【００１６】
以下、添付図面を参照して、本発明の実施の形態について説明する。図１及び図２には、履物の一種としてのブーツ形式の靴が例示されているが、本発明は、靴には限定されず、サンダル、スリッパ、草履等も含むことはもちろんである。
【００１７】
図１及び図２に示すように、本発明の実施の一形態に係る履物（靴）１は、ソール部２と、該ソール部２に固定されて該ソール部２上に足入れ部３を形成するアッパー部４と、該アッパー部４の表面に固着されるアウター部５と、を備える。そして、ソール部２とアッパー部４とによって履物（靴）としての強度及び耐久性が保持され、アウター部６が使用済み製品由来の布状材７で形成される。
【００１８】
ソール部２とアッパー部４の具体的構成及びそれらの結合態様には何も限定はなく、従来公知のあらゆる構成のものを採用することができる。ソール部２とアッパー部４とを作製し、それら同士を結合させることに代えて、完成品としての既存の履物を用いてソール部２及びアッパー部４とすることもできる。このようにすれば、既存の履物をそのまま使用して製造できるので、製造が容易である。
【００１９】
既存の履物は新品であっても中古であってもよいが、中古品を利用すれば安価に製造できるほか、中古品のデザインを簡単に一新することができ、中古品の再利用、資源の有効利用、ゴミの減量等の観点からも有効である。
【００２０】
次に、アウター部６について説明する。アウター部６は使用済み製品由来の布状材７で形成される。そして、アウター部６は、履物の外観にデザイン性を付与したり、アッパー部４の表面を覆ってアッパー部４を保護したりする。アウター部６を使用済み製品由来の布状材７で形成することで、使用済み製品の再生利用、資源の有効利用となるほか、ゴミの減量にも貢献できる。
【００２１】
ここで、使用済み製品がデニム製のズボン、スカート、ショートパンツ等の被服である場合を例にとって履物の製造工程を説明する。第一工程として、使用済みのデニム製の被服を解体して布状材７を取得する。第二工程として、その布状材７からどの部分を裁断して使用するか、どの部分とどの部分とを組み合わせて使用するか等を決定する。第三工程として、布状材７を履物の大きさ（アッパー部４の大きさ）より少しだけ（例えば、１〜３ｍｍ程度）大きめに裁断する。履物のアッパー部４に対して部分的にアウター部６を固着する場合には、それに必要な形状及び大きさに布状材７を裁断すればよい。第四工程として、裁断した布状材７を履物のアッパー部４の表面に固着する。固着の方法は、接着剤を用いるのが普通であるが縫い付けてもよく、それらを併用することもできる。アッパー部４の表面に接着剤で布状材７を接着したら、しわやたるみがなくなるように手でしっかりと伸ばして仕上げる。
【００２２】
「使用済み製品由来」とは、使用済み製品を解体して適宜に裁断して使用することだけでなく、使用済み製品の一部を切り取ってそのまま使用すること、使用済み製品に含まれる原材料に適宜の物理的又は化学的な加工を加えて使用すること等を広く含む。また、「布状材」とは、麻や木綿の織物の他、プラスチック糸の織物やプラスチック製の柔軟なシート材、皮革及び合成皮革等、素材にこだわることなく柔軟な面状体を言うものとする。使用済み製品の例としては、被服のほか、被服以外の布製品又は革製品やバッグ等が挙げられる。
【００２３】
左右一対の履物において、左右両側で同一のデザインとなるようにアウター部６を固着しても良いし、図１に示すように、左右いずれか一方の履物１Ｌに他方の履物１Ｒとは異なったデザインでアウター部６を固着してもよい。後者は、左右の履物の両方に同一のデザインを施すほど使用済み製品由来の布状材７に量的余裕がない場合に有効である。履物のデザインは左右で共通とするのが通常であるが、使用済み製品由来の布状材７を材料とする以上、いつも左右を共通にできるとは限らない。そのような場合に、左右いずれか一方の履物１Ｌに他方の履物１Ｒとは異なったデザインで使用済み製品由来の布状材７を固着することとすれば、アウター部６の材料の不足に悩まされることもなく、一対の履物全体として個性的なデザインとなり、好適である。
【００２４】
また、図１に示すように、使用済み製品に備わっていたポケット８、ボタン９、ベルト通し１０、ファスナー１１等の付属物をアウター部６としてそのまま利用することもできる。この場合、前記付属物８，９，１０，１１が布状材７と共にそのまま履物１の外観に現れる。このようにすれば、付属物８，９，１０，１１をいちいち取り外す手間が省けるほか、履物の外観意匠性も良好となり好適である。
【００２５】
さらに、布状材７として種類の異なる複数のものを用意し、該複数種類の布状材７を例えばパッチワークのようにアッパー部４の表面に混在させるようにしてもよい。複数種類の布状材７とは、例えば、素材の異なるもの、色彩の異なるもの、デザインの異なるもの等をいう。この場合も、履物の外観意匠性が良好となる。
【符号の説明】
【００２６】
１    履物
１Ｌ  一方の履物
１Ｒ  他方の履物
２    ソール部
３    足入れ分
４    アッパー部
６    アウター部
７    使用済み製品由来の布状材
８，９，１０，１１  付属物
【図１】
2018094224.tif 000003
【図２】
2018094224.tif 000004